(57)【要約】【課題】忙しい場合においても測定における面倒さや測定を忘れるということを低減し、さらに専用の接続端子の設置を不要にした使いやすい健康管理支援システムを提供する。【解決手段】衛生洗浄装置４に組み込まれた生体情報測定装置４ａで測定した測定データ５ａを携帯性に優れた携帯電話３を介してサーバー装置１へ送信し、健康アドバイス情報７をサーバー装置１から携帯情報端末３に送信するようにした。【選択図】　図１
2004013508.tif 000002
【特許請求の範囲】
【請求項１】
衛生洗浄装置に組み込まれた体脂肪計や尿糖計等の生体情報測定装置で測定した測定データや排泄物の視覚的情報や体調等の感覚的情報等の健康情報のうち少なくとも一つの健康情報を収集し管理するサーバー装置と、前記測定データや健康情報をユーザーが手動で携帯情報端末に入力し、この携帯情報端末で前記測定データや健康情報を通信網を介して前記サーバー装置に送信するとともに前記サーバー装置に管理されている測定データや健康情報等の情報（以下、保管測定情報という）または保管測定情報を基に作成された健康アドバイス情報のうち少なくとも一つを受信し報知することを特徴とした健康管理支援システム。
【請求項２】
衛生洗浄装置に組み込まれた体脂肪計や尿糖計等の生体情報測定装置で測定された測定データや排泄物の視覚的情報や体調等の感覚的情報等の健康情報のうち少なくとも一つの健康情を収集し管理するサーバー装置と、前記衛生洗浄装置で測定された測定データを無線または有線によって携帯情報端末に伝送する前記衛生洗浄装置と前記携帯情報端末に組み込まれた伝送手段と、この携帯情報端末で前記測定データや健康情報を通信網を介して前記サーバー装置に送信するとともに前記サーバー装置に管理されている保管測定情報または保管測定情報を基に作成された健康アドバイス情報のうち少なくとも一つを受信し報知することを特徴とした健康管理支援システム。
【請求項３】
衛生洗浄装置に組み込まれた体脂肪計や尿糖計等の生体情報測定装置で測定された測定データや排泄物の視覚的情報や体調等の感覚的情報等の健康情報のうち少なくとも一つの健康情報を収集し管理するサーバー装置と、前記衛生洗浄装置と無線または有線で接続された携帯情報端末のユーザーの操作によって前記衛生洗浄装置で測定された測定データを携帯情報端末に伝送する前記衛生洗浄装置と前記携帯情報端末に組み込まれた伝送手段と、この携帯情報端末で前記測定データや健康情報を通信網を介して前記サーバー装置に送信するとともに前記サーバー装置に管理されている保管測定情報または保管測定情報を基に作成された健康アドバイス情報のうち少なくとも一つを受信し報知することを特徴とした健康管理支援システム。
【請求項４】
衛生洗浄装置に組み込まれた体脂肪計や尿糖計等の生体情報測定装置で測定された測定データや排泄物の視覚的情報や体調等の感覚的情報等の健康情報のうち少なくとも一つの健康情報を収集し管理するサーバー装置と、前記衛生洗浄装置と無線または有線で接続された携帯情報端末のユーザーの操作によって前記衛生洗浄装置で測定された測定データを携帯情報端末に伝送する前記衛生洗浄装置と前記携帯情報端末に組み込まれた伝送手段と、この携帯情報端末で前記測定データや健康情報を通信網を介して前記サーバー装置に送信するとともに前記サーバー装置に管理されている保管測定情報または保管測定情報を基に作成された健康アドバイス情報のうち少なくとも一つを受信し、この情報をさらに前記衛生洗浄装置の表示部に表示することを特徴とした健康管理支援システム。
【請求項５】
サーバー装置は、携帯情報端末への測定に用いる生体情報測定装置を選択する指示情報を管理し、携帯情報端末は、前記サーバー装置から受信した前記指示情報を報知することを特徴とする請求項１〜４のいずれか１項に記載の健康管理支援システム。
【請求項６】
携帯情報端末での指示情報の報知は、表示で行うことを特徴とする請求項５に記載の健康管理支援システム。
【請求項７】
携帯情報端末は、保管測定情報および健康アドバイス情報を選択的に報知することを特徴とする請求項１〜６のいずれか１項に記載の健康管理支援システム。
【請求項８】
携帯情報端末での保管測定情報または健康アドバイス情報の報知は、表示で行うことを特徴とする請求項７に記載の健康管理支援システム。
【請求項９】
衛生洗浄装置の洗浄手段等の操作部と、生体情報測定装置の操作部とが同一部に配したことを特徴とする請求項２〜４のいずれか１項に記載の健康管理支援システム。
【請求項１０】
衛生洗浄装置の表示部は衛生洗浄装置の本体と別に設けられた操作部に配されたことを特徴とする請求項４に記載の健康管理支援システム。
【請求項１１】
伝送手段は赤外線を用いた通信方式であることを特徴とする請求項２〜４、９のいずれか１項に記載の健康管理支援システム。
【請求項１２】
通信方式は、ＩｒＤＡであることを特徴とする請求項１１記載の健康管理支援システム。
【請求項１３】
衛生洗浄装置から携帯情報端末に送信される測定データには、少なくとも前記生体情報測定装置を判別する識別情報または測定した日時情報を含むことを特徴とする請求項１１〜１２のいずれか１項に記載の健康管理システム。
【請求項１４】
携帯情報端末からサーバー装置に送信される測定データには、生体情報測定装置を判別する識別情報または測定項目を示す項目情報のいずれかの情報および前記生体情報測定装置で測定した日時情報または測定情報を送信した日時情報が含まれることを特徴とする請求項１〜１３のいずれか１項に記載の健康管理システム。
【請求項１５】
サーバー装置は、測定情報に含まれる生体情報測定装置を判別する識別情報または項目情報の少なくともどちらか一方の情報と、測定した日時を示す日時情報と、前記携帯情報端末の判別をする携帯情報端末識別情報を少なくとも含んだ測定内容を出力する出力手段を有する請求項１〜１４のいずれか１項に記載の健康管理支援システム。
【請求項１６】
携帯情報端末とサーバー装置の間を結ぶ通信網は、インターネットであることを特徴とする請求項１〜１５のいずれか１項に記載の健康管理支援システム。
【発明の詳細な説明】
【０００１】
【発明の属する技術分野】
本発明は、使用者が衛生洗浄装置に組み込まれた生体情報測定装置で測定した使用者の生体情報や健康情報を医療機関等に送り、この収集された保管測定情報やこの情報を基に作成された健康アドバイス情報を医療機関等から使用者に伝達するための健康管理支援システムに関する。
【０００２】
【従来の技術】
従来、この種の健康管理支援システムに用いられる生体情報測定装置とその測定情報を収集し、この収集した測定情報をサーバー装置へ送信する収集装置は特開２０００−８３９０７公報に示されるようなものが一般的であった。図１６に上記公報の装置（以下、電子救急箱という）を用いた従来の健康管理支援システムのシステム図を示す。電子救急箱２１は生体情報測定装置である血圧計２２、心電計２３，耳孔体温計２４，血糖計２５、電子スコープ２６等を内部に収納する構成としている。またディスプレイ２７，スピーカ２８，マイク２９等も内蔵している。使用者は耳孔体温計２４や血圧計２２等の生体情報測定装置で測定した体温や血圧値といった測定情報をこの専用の生体情報収集装置である電子救急箱２１に収集する。
【０００３】
測定情報６は、この電子救急箱２１に接続した電話回線等の通信網２で接続されている医療機関等に設置したサーバー装置１に送られ、その送られた測定情報を基に医療機関等で判断し、使用者の健康状態や推奨する食事の内容等の健康アドバイス情報７を作成し、この作成された健康アドバイス情報７をあらかじめ登録された使用者の電子救急箱２１に送信したり、あらかじめ登録された使用者の電話番号に電話したり、或いは登録された住所に書簡等を送付することによって使用者に知らせている。
【０００４】
【発明が解決しようとする課題】
しかしながら、前記従来の健康管理支援システムでは、生体情報を収集するに際して意識して生体情報収集装置である電子救急箱２１の設置してある場所に行って測定する必要がある。従って忙しい時等に測定が面倒であったり忘れたりするという不具合があった。
【０００５】
また生体情報測定装置で測定した測定情報を専用の生体情報収集装置を介して医療機関等に送るため、電話回線等の通信網に接続するための接続端子の設置されている場所でしか使用できないという課題があった。
【０００６】
本発明は、前記従来の課題を解決するもので、忙しい場合においても測定における面倒さや測定を忘れるということを低減し、さらに専用の接続端子の設置を不要にした使いやすい健康管理支援システムを提供することを目的としている。
【０００７】
【課題を解決するための手段】
前記従来の課題を解決するために本発明の健康管理支援システムは毎日必ず使用するトイレに設置される衛生洗浄装置に組み込まれた生体情報測定装置で測定した測定データを専用の生体情報収集装置にかわり携帯情報端末によって測定情報を管理するサーバー装置へ送信し、保管測定情報または保管測定情報を基に作成された健康アドバイス情報をサーバー装置から携帯情報端末に送信するようにしたもので、非常に携帯性に優れたこの携帯情報端末を使用することによって、毎日確実に体脂肪や尿糖等のデータを測定及び記録することが容易になりその測定情報による健康アドバイス情報の内容も充実される。
【０００８】
また、電話回線等の通信回線の接続端子も不要となる。さらに携帯情報端末はその個人が常に持ち歩くことが可能なため医療機関等からの健康アドバイス情報の使用者への移動時の伝達も容易になる。
【０００９】
【発明の実施の形態】
請求項１に記載の発明は、衛生洗浄装置に組み込まれた生体情報測定装置で測定した測定データや健康情報を収集し管理するサーバー装置と、測定データや健康情報をユーザーが手動で携帯情報端末に入力し、測定データや健康情報を通信網を介して前記サーバー装置に送信するとともに前記サーバー装置に管理されている保管測定情報やこの保管測定情報を基に作成された健康アドバイス情報を携帯情報端末で受信し報知することにより、ユーザーが毎日忙しくても必ず使用するトイレで各種生体情報のデータが測定できるため測定を忘れると言うことや測定が面倒であると言うことが低減される。また、携帯情報端末に測定データを手入力することから排泄物の視覚的情報や体調等の感覚的情報等の健康情報もサーバー装置へ容易に送信できる。さらに、携帯情報端末を使用することにより電話回線等の接続端子も不要となる。さらに携帯情報端末では多くの場合、複数人で共有せずに個人使用であるためその個人が常に持ち歩くことが多いことから医療機関等からの健康アドバイス情報のユーザーへの伝達も、ユーザーの移動時も含め確実になる。すなわち旅行等での移動時にも容易に使用できる等の機動性を向上させることができる。
【００１０】
請求項２に記載の発明は、特に衛生洗浄装置の生体情報測定装置で測定した測定データを無線または有線によって携帯情報端末に伝送する伝送手段を衛生洗浄装置に組み込むことによって測定データを自動的に携帯情報端末に入力することにより、測定データのユーザーによる入力ミスが防止でき測定データの信頼性を非常に高めることができる。
【００１１】
請求項３に記載の発明は、特に衛生洗浄装置と無線または有線によって接続された携帯情報端末のユーザー操作で前記衛生洗浄装置の生体情報測定装置で測定した測定データを携帯情報端末に伝送する衛生洗浄装置に組み込まれた伝送手段を設けることにより、衛生洗浄装置に組み込まれた生体情報測定装置で測定したデータを携帯情報端末に入力する際、携帯情報端末の操作のみで測定データを自動的に携帯情報端末に入力することができるため非常に使い勝手が良いシステムが実現できる。
【００１２】
請求項４に記載の発明は、特に携帯情報端末でサーバー装置に管理されている保管測定情報またはこの保管測定情報を基に作成された健康アドバイス情報のうち少なくとも一つを受信し、これを衛生洗浄装置の表示部で表示することによって携帯情報端末の表示部より大きな表示が可能になり、内容の確認把握が容易となるため、非常に使い勝手の良いシステムが実現できる。
【００１３】
請求項５に記載の発明は、特に請求項１〜４に記載のサーバー装置で、携帯情報端末への指示情報を管理し、携帯情報端末は、前記サーバー装置から受信した前記指示情報を報知することにより、この報知された指示情報に基づいて生体情報測定装置より測定情報を収集することにより、ユーザー個人個人に合った生体情報測定装置の種類や測定項目を誤ることなく使用することや携帯情報端末への測定データや健康情報の入力もユーザーが携帯情報端末のキーからの手入力であっても誤ることなくできることとなる。従って、非常に正しい測定データや健康情報が収集できるためその信頼性も非常に向上するとともに非常に使い勝手の良いシステムが実現できる。
【００１４】
請求項６に記載の発明は、特に請求項５に記載の携帯情報端末での指示情報の報知を、表示で行うようにしたことにより、視覚的に指示情報を確認できその内容の理解をより一層を深めることができより正しい測定情報が収集できるとともに非常に使い勝手の良いシステムが実現できる。
【００１５】
請求項７に記載の発明は、特に請求項１〜６に記載の携帯情報端末で、保管測定情報および健康アドバイス情報を選択的に報知することを特徴とすることにより、ユーザーが保管測定情報または健康アドバイス情報を必要なときに必要な情報だけを選択的に確認することを可能とすることができる。従って、収集した測定情報を正しく把握できるとともに非常に使い勝手の良いシステムが実現できる。
【００１６】
請求項８に記載の発明は、特に請求項７に記載の携帯情報端末で、保管測定情報または健康アドバイス情報の報知を表示で行うことを特徴とすることにより、視覚的に保管測定情報や健康アドバイス情報が確認できより一層理解を深めることができ非常に使い勝手の良いシステムが実現できる。
【００１７】
請求項９に記載の発明は、特に請求項２〜４に記載の衛生洗浄装置の洗浄手段等の操作部や表示部と生体情報測定装置の操作部や表示部を同一部に配したことを特徴とすることにより、重複した部品の削減が図れると共に、衛生洗浄装置の洗浄手段等や生体情報測定装置のどれを使用する場合に置いてもユーザーは限定された特定の箇所のみに注目すれば良いこととなり、低コストで効率的な非常に使い勝手が良いシステムが実現できる。
【００１８】
請求項１０に記載の発明は、特に請求項４に記載の衛生洗浄装置の表示部を衛生洗浄装置の本体とは別に設けられたリモコン等の操作部に配されたことを特徴とすることにより、ユーザーが非常に見やすい場所に設置することができるため、保管測定情報またはこの保管測定情報を基に作成された健康アドバイス情報等の確認や把握が一層容易になる。
【００１９】
請求項１１に記載の発明は、特に請求項２〜４に記載の伝送手段として赤外線を用いた通信方式であることを特徴とするもので、非常に小型で小電力で実現できるため、携帯情報端末の電池寿命も延びることとなり、充電の頻度を低減できる。
【００２０】
請求項１２に記載の発明は、特に請求項１１に記載の赤外線を用いた伝送手段の通信方式をＩｒＤＡとしたもので、既に規格化された通信方式を採用することにより使用できる携帯情報端末の範囲を広げることができる。従って、多くの携帯情報端末の中からの選択が可能となる。
【００２１】
請求項１３に記載の発明は、特に請求項１１〜１２に記載の衛生洗浄装置定装置から前記携帯情報端末に送信される測定データに、前記生体情報測定装置を判別する識別情報または測定した日時情報を含むことを特徴とすることにより、携帯情報端末で生体情報装置の種類といった識別情報をユーザーが手入力することを不要とすることができる。これにより収集した測定データの信頼性がさらに向上することができる。
【００２２】
請求項１４に記載の発明は、特に請求項１〜１３に記載の携帯情報端末から前記サーバー装置に送信される測定データに、前記生体情報測定装置を判別する識別情報または測定項目を示す項目情報の少なくともどちらか一方の情報および生体情報測定装置で測定した日時情報または前記携帯端末から測定データを送信した日時情報が含まれるようにしたことにより、測定データの送信の順番等をあらかじめ決めておき、それに則って操作する必要が不要となるとともにサーバー装置内での測定データの整理も非常に容易になるため非常に操作性の良い、使い勝手の良いシステムを実現できる。
【００２３】
請求項１５に記載の発明は、特に請求項１〜１４に記載のサーバー装置を、測定データに含まれる生体情報測定装置を判別する識別情報または項目情報の少なくともどちらか一方の情報と測定した日時を示す日時情報と前記携帯情報端末の判別をする携帯情報端末識別情報を少なくとも含んだ測定内容を出力する出力手段を有するものとすることにより、医療機関等はユーザーの時系列的な測定情報の管理による健康アドバイス情報の提供だけでなく、他機関への保険料や作業料等の申請用にわざわざ別途申請資料を作成することなく、これらの業務にも応用でき申請業務の効率化が図れる。
【００２４】
請求項１６に記載の発明は、特に請求項１〜１５に記載の携帯情報端末と前記サーバー装置の間を結ぶ通信網をインターネットとすることにより、世界中どこにおいても、ユーザーと医療機関等がいかに遠く離れていたとしても安価に利用することが可能となる。
【００２５】
【実施例】
以下、本発明の実施例について図面を用いて説明する。なお、従来例と同じ構成要素には同一図番を付して詳細な説明は省略する。
【００２６】
（実施例１）
図１は本発明の実施例１の健康管理支援システムのシステム図を示す。１はサーバー装置で通信網の一手段であるインターネット２ａを通じて携帯情報端末である携帯電話３と接続されている。衛生洗浄装置４に組み込まれた生体情報測定装置である体脂肪計４ａによってユーザーの測定情報である体脂肪等（たとえば生体インピーダンス等を含む）を測定する。ここで測定された体脂肪はユーザーが体脂肪計４ａの表示（図示せず）を確認してその値を携帯電話３に入力する。携帯電話３に入力された測定データ５ａはインターネット２ａを介して測定データ６ａとしてサーバー装置１に入力され、保管測定情報としてサーバー装置１で保管される。またユーザーは排泄物の視覚的データや体調等の感覚的情報等の健康情報５ｂも携帯電話３とインターネット２ａを介して健康情報６ｂとしてサーバー装置１に入力し、保管測定情報としてサーバー装置１で保管することができる。医療機関等においてはこのサーバー装置１に収集された一連の保管測定情報である測定データ６ａ及び健康情報６ｂを基にそのユーザーに対して最適な健康アドバイス情報７や測定データ６ａや健康情報６ｂをサーバー装置１を介して送信する。この送信はユーザーの要求によりされる場合も医療機関の指示によりされる場合もある。
【００２７】
また図２は携帯電話３の外観図である。測定データ５ａは、キー８の操作により携帯電話３に入力される。９はマイクロフォンであり、１０は表示部、１１はスピーカである。測定データ５ａの携帯電話３への入力はマイクロフォン９を通じて音声に音声認識で行うことも出来る。健康情報５ｂの携帯電話３への入力においても測定データ５ａと同様である。
【００２８】
そしてサーバー装置１に管理されている保管測定情報である測定データ６ａ及び健康情報６ｂやこの保管測定情報を基に作成された健康アドバイス情報７を携帯電話３で受信し報知することにより、ユーザーが毎日忙しくても必ず使用するトイレで各種生体情報のデータが測定できるため測定を忘れると言うことや測定が面倒であると言うことが低減される。また、排泄物の視覚的情報や体調等の感覚的情報等の健康情報５ｂも携帯電話３に手入力することからこれらの健康情報もサーバー装置１へ容易に送信できる。さらに、携帯電話３を使用することにより電話回線等の接続端子も不要となる。さらに携帯電話３では多くの場合、複数人で共有せずに個人使用であるためその個人と特定が容易であり、またその個人が常に持ち歩くことが多いことから医療機関等からの健康アドバイス情報のユーザーへの伝達も、ユーザーの移動時も含め確実になる。なお、本実施例では生体情報測定装置を体脂肪計として説明したが体脂肪計だけに限定されるものではなく、尿糖計や血圧計、体温計、体重計、血糖計等さまざな生体情報測定装置でも同様に構成することができる。
【００２９】
さらに、例えば衛生洗浄装置に上記したような複数の生体情報収集装置を組み込むことによりトイレといういつも必ず使用する特定の場所で複数の健康に関する測定データを収集することが可能になる。
【００３０】
また、携帯電話３と前記サーバー装置１の間を結ぶ通信網には無線の電話回線だけを使用しても良いがインターネット２ａを使用することによって、世界中どこにおいても、使用者と医療機関等がいかに遠く離れていたとしても安価に通信網を利用することが可能となる。
【００３１】
（実施例２）
図３は本発明の実施例２の健康管理支援システムのシステム図を示す。実施例１と異なるところは衛生洗浄装置４に組み込まれた生体情報測定装置である体脂肪計４ａの測定データを携帯情報端末である携帯電話３へ伝送するための伝送手段１２ａ、１２ｂを衛生洗浄装置４と携帯情報端末である携帯電話３に設けた点である。衛生洗浄装置４に組み込まれた生体情報測定装置である体脂肪計４ａによってユーザーの測定情報である体脂肪等（たとえば生体インピーダンス等を含む）を測定した後、測定された体脂肪等の測定データ５ａはユーザーが確認して衛生洗浄装置４と携帯電話３の伝送手段１２ａ、１２ｂで伝送することにより測定データ５ａを携帯電話３に伝送する。また測定データは生体情報測定装置の測定が終了した時点でユーザーがその値を確認することなく自動的に携帯電話３に伝送することもできる。これらのことにより人が手動で測定データを携帯電話３に入力することなく自動的に入力される。これにより人が手動で測定情報を入力する際の誤入力および異常な値の測定データを意図的に入力したりすることによる誤った測定データの入力を防止することができ、測定データの信頼性が非常に高まる。
【００３２】
さらに、このような伝送手段は、それぞれを接続線で直接接続するＲＳ２３２Ｃのような有線方式のもの、電波や赤外線を用いた無線の方式などどれを用いても同様の作用・効果を有する。その中でも特に、無線方式の赤外線を用いることにより非常に小型で小電力で実現できるため、携帯情報端末の電池寿命も延びることとなり、充電の頻度を低減できる。
【００３３】
なお、赤外線を用いた送信機能及び受信機能の通信方式にＩｒＤＡを用いれば、既に規格化され現在非常に多くの携帯情報端末に採用されている通信方式を採用することにより使用できる携帯情報端末の範囲を広げることができる。従って、多くの携帯情報端末の中からの選択が可能となり使用者にとって大きなメリットとなる。
【００３４】
（実施例３）
図４は本発明の実施例３の健康管理支援システムのシステム図を示す。実施例１と異なるところは衛生洗浄装置４に組み込まれた生体情報測定装置である体脂肪計４ａの測定データを衛生洗浄装置と無線または有線で接続された携帯情報端末のユーザーの操作によって前記測定データを携帯情報端末である携帯電話３へ伝送するための伝送手段１２ａ、１２ｂに加えて、携帯電話３から衛生洗浄装置４をコントロールするための伝送手段１２ｃ、１２ｄを、衛生洗浄装置４と携帯情報端末である携帯電話３に設けた点である。このように生体情報測定装置である体脂肪計４ａを組み込んだ衛生洗浄装置４には衛生洗浄装置４から携帯電話３に測定データ５ａを送る伝送手段１２ａと、携帯電話３から衛生洗浄装置４に測定データ５ａの送信等をコントロールする信号を受信するための伝送手段１２ｃが設けてある。また携帯電話３にはこれに対応する伝送手段１２ｂ、１２ｄが設けてある。これにより、携帯電話３のキー８操作によって携帯電話３の伝送手段１２ｄからの制御情報１３を衛生洗浄装置４の伝送手段１２ｂで受信することにより衛生洗浄装置４の伝送手段１２ａをコントロールすることが可能となる。
【００３５】
従って、衛生洗浄装置に組み込まれた生体情報測定装置で測定された測定データを携帯情報端末に集める際に、衛生洗浄装置と携帯情報端末の双方を操作することなく携帯情報端末のみを操作すれば収集が可能となる。
【００３６】
（実施例４）
図５は本発明の実施例４の健康管理支援システムの衛生洗浄装置の表示部を示す。本実施例では衛生洗浄装置のリモコンを示す。１４はリモコン１３に配されたＬＣＤで構成された表示部である。１５は衛生洗浄装置の操作部であり洗浄・乾燥・停止等の各手段のスイッチがある。１６は衛生洗浄装置に組み込まれた生体情報測定装置の測定スイッチ部である。１４には衛生洗浄装置の各機能に関する表示や生体情報測定装置の測定データに関する表示やサーバー装置で管理されている保管測定情報や健康アドバイス情報を表示する。図６は表示部の一実施例を示したもので例えば体脂肪計の場合の保管測定データの一部を表示したものである。本実施例では前回測定値の表示例（体脂肪率：２５．３％）を示しているが過去一週間分の保管測定データの表示等やこれに基づいた健康アドバイス情報も同様に表示できる。
【００３７】
このように衛生洗浄装置の表示部に表示することにより全ての表示を一カ所に集約することができるためユーザーにとって非常に使い勝手が良いものとなる。
【００３８】
また、本実施例では衛生洗浄装置の操作部とそれに組み込まれた生体情報測定装置の操作部とが同一部に配しており、操作を一カ所に集約しているためユーザーにさらに使い勝手が良いものとなっている。
【００３９】
なお、本実施例はリモコンとしたが衛生洗浄装置本体に構成されていても全く同様の効果を有する。
【００４０】
本体と別にリモコンにすることによりその操作部と表示部が操作しやすく見やすいところに設置できることとなる。単に独立した衛生洗浄装置の機能手段の操作・表示や生体情報測定装置の操作・表示ではなく、衛生洗浄装置に生体情報測定装置を組み込んだ機器の操作・表示部であり、生体情報測定装置も複数の組み込みも含め、その操作・表示部は非常に複雑になる。従って操作しやすく・表示も見やすくすることが極めて重要になる。そのためにもその自由度の大きいリモコンは非常に大きな効果を有する。
【００４１】
（実施例５）
図７は本発明の実施例５の健康管理支援システムのシステム図を示す。実施例１と異なるところはサーバー装置１から携帯情報端末である携帯電話３に指示情報１７を送信することである。指示情報１７は携帯電話３の表示部１０に表示される。図８（ａ）および図８（ｂ）に携帯電話３の表示部１０に表示された指示情報の表示例を示す。
【００４２】
図８（ａ）は測定に用いる衛生洗浄装置に組み込まれた生体情報測定装置を指示しているもので、複数の生体情報測定装置が衛生洗浄装置に組み込まれている場合においても、これにより間違いなく正しい生体情報測定装置を用いて必要な測定データを測定することができる。またこの例では、生体情報測定装置を使用する順番まで示しており、本例では血圧測定後に体重測定を行うように指示している。このほかに測定する時間を指示することなども可能である。図８（ｂ）は衛生洗浄装置に組み込まれた生体情報測定装置の使用方法を指示したものである。本例では血圧計を用いた生体情報収集の手順の例を示している。これにより間違いなく正しく生体情報測定装置を操作できるとともに携帯情報端末である携帯電話に測定データを入力できる。
【００４３】
以上の構成により、ユーザーは知識が無くてもまた少なくても何の支障もなく衛生洗浄装置に組み込まれた生体情報測定手段を選択したり、生体情報測定手段を操作し携帯情報端末に測定情報を確実に入力することができる。
【００４４】
さらに指示情報１７の内容はサーバー装置１で管理しているのでユーザー毎に変更も容易に可能であるし、同じユーザーに対してもある時期から変更することもまた容易に可能である。
【００４５】
なお、本例では指示情報の報知手段の一つとして携帯電話３の表示部１０を用いているが、これに限定されるわけではなく携帯電話３に設けられたスピーカ１１を用いて音声で報知しても同様の作用・効果を有する。
【００４６】
（実施例６）
図９は本発明の実施例６の健康管理システムのシステム図を示す。実施例１と異なるところはサーバー装置１から携帯情報端末である携帯電話３にサーバー装置１により管理されている測定データ及び健康情報である保管測定情報や健康アドバイス情報のうちどの情報を携帯情報端末に送信するかを選択する選択情報１８を携帯情報端末である携帯電話３からサーバー装置１へ送信することである。
【００４７】
図１０に示す表示に従ってユーザーが携帯電話３のキー８を操作をすれば簡単に測定データ６ａや健康情報６ｂといった保管測定情報を表示するか健康アドバイス情報７を表示するかの選択ができる。図１１（ａ）および図１１（ｂ）に携帯電話３の表示部１０における表示例を示す。
【００４８】
図１１（ａ）は選択情報１８が保管測定情報の一部である体温の測定データ６ａを報知する旨であった場合の例を示す。本例では現在を２００１年９月９日１５時３０分とし、過去１週間分の体温という保管測定情報を時系列的に表で表示している。これにより生体情報測定装置で得られた測定データをトレンドという観点で日々の変化を見ることができる。また本例では表で示しているがグラフ表示においても作用・効果は同様である。図１１（ｂ）は選択情報１８が健康アドバイス情報７を報知する旨であった場合の例を示す。本例は測定データである血圧値が最近高めの場合の健康アドバイス情報である。ユーザーはこの内容をもとに生活習慣の改善や食生活の改善を図ることが可能となる。
【００４９】
なお、本例では報知手段の一つとして表示部を用いているが、これに限定されるわけではなく携帯電話３に設けられたスピーカ１１を用いて音声で報知しても同様の作用・効果を有する。
【００５０】
（実施例７）
図１２（ａ）および図１２（ｂ）は本発明の実施例２の健康管理システムの衛生洗浄装置４に組み込まれた生体情報測定装置として血圧計（図示せず）から携帯情報端末である携帯電話３に送信される測定データ５のデータ構成を示したものである。一般的なデータ構成は図１２（ａ）のように、先頭には生体情報測定装置の種類といった識別情報、次に測定項目、その次にその測定値となっている。測定項目が複数ある場合は測定項目と測定値を交互に配する。次に図１２（ｂ）に生体情報測定装置を血圧計とした場合の例をしめす。まず先頭に識別情報である生体情報測定装置の種類である血圧計という情報と、最大血圧という測定項目という測定項目情報、そしてその測定値（本例では１４５ｍｍＨｇ）、次に最低血圧という測定項目という測定項目情報情報、そしてその測定値（本例では８０ｍｍＨｇ）、次に脈拍という測定項目の測定項目情報（本例では６５回／ｍｉｎ）である。このような生体情報測定装置の種類を示す識別情報や測定項目といった測定項目情報の少なくともいづれか一方を測定データ５に含むことにより、携帯情報端末である携帯電話３で生体情報装置の種類や測定情報の項目といった識別情報や測定項目情報をユーザーが手入力することを不要とすることができる。これにより携帯情報端末からサーバー装置へ送信する測定データ６ａの信頼性をさらに向上することができる。
【００５１】
（実施例８）
図１３（ａ）および図１３（ｂ）は本発明の実施例８の健康管理システムの携帯情報端末である携帯電話３からサーバー装置１に送信される測定情報６のデータ構成を示したものである。一般的なデータ構成は図１３（ａ）のように先頭には生体情報測定装置の種類、次に測定日時、次に送信日時、次に測定項目、その次にその測定値である。測定項目が複数ある場合は測定項目と測定値を交互に配する。次に図１３（ｂ）に生体情報測定装置を血圧計とした場合の例をしめす。まず先頭に生体情報測定装置の種類である血圧計という情報、つぎに測定日時である２００１年９月８日７時３５分という情報、次に送信日時である２００１年９月８日７時５０分という情報、次に最大血圧という測定項目という情報、そしてその測定値（本例では１４５ｍｍＨｇ）、次に最低血圧という測定項目という情報、そしてその測定値（本例では８０ｍｍＨｇ）、次に脈拍という測定項目の情報（本例では６５回／ｍｉｎ）である。このような生体情報測定装置の種類や測定項目といった識別情報や測定項目情報の少なくともいづれか一方の情報および生体情報装置で測定した測定日時の情報または携帯電話３から送信した送信日時の情報を測定データ６ａに含むことにより、測定データ６ａの送信の順番等をあらかじめ決めておきそれにのっとって操作する必要が不要となるとともにサーバー装置内での測定データ６ａの整理も非常に容易になるため非常に操作性の良い、使い勝手の良いシステムを実現できる。
【００５２】
（実施例９）
図１４は本発明の実施例９の健康管理システムのシステム図を示す。１９はサーバー装置１の外部への出力手段である出力端子で、携帯情報端末である携帯電話３の識別情報および携帯電話３から測定情報を送信した日時情報および測定情報の項目情報を出力する。２０はプリンターで図１５にプリンター２０での印刷例を示す。携帯電話３の識別情報である電話番号や氏名および携帯電話３から測定情報を送信した日時情報および測定情報の項目情報を印刷する。これにより医療機関等はユーザーの時系列的な測定情報の管理による健康アドバイス情報の提供だけでなく、他機関への保険料や作業料等の申請用にわざわざ別途申請資料を作成することなく、これらの業務にも応用でき申請業務の効率化が図れる。数々の効率化を図ることができることから安価な健康管理システムの運営が実現可能となる。なお、出力端子１９の接続先はフロッピーディスク等の電子記憶装置でも良いし、保険料や作業料の申請先に設置されたこれらの申請業務を処理するコンピュータでも良い。
【００５３】
【発明の効果】
以上のように、本発明によれば、衛生洗浄装置に組み込まれた生体情報測定装置の測定データを、その名の通り携帯性に優れた携帯電話等の携帯情報端末の使用によって、ユーザーが毎日忙しくても必ず使用するトイレで各種生体情報のデータが測定できるため測定を忘れると言うことや測定が面倒であると言うことが低減される。さらに毎日確実にデータの測定が可能となり時系列なデータの蓄積が極めて容易になるため信頼性の高い健康アドバイス情報を期待することができる。また、携帯情報端末に測定データを手入力することから排泄物の視覚的情報や体調等の感覚的情報等の健康情報もサーバー装置へ容易に送信できる。さらに、携帯情報端末を使用することにより電話回線等の接続端子も不要となる。
【００５４】
さらに携帯電話等の携帯情報端末はその多くが個人個人で契約するため個人識別が可能でまた個人が常に持ち歩くことが可能なため医療機関等からの健康アドバイス情報のユーザーへの移動時の伝達も容易になる。すなわち旅行等での移動時にも容易に使用できる等の機動性を向上させることができる。
【００５５】
さらに、他機関への保険料や作業料等の申請用にわざわざ別途申請資料を作成することなく、これらの業務にも応用でき申請業務の効率化が図ることができることから安価な健康管理システムの運営が実現可能となる。
【図面の簡単な説明】
【図１】本発明の実施例１の健康管理支援システムのシステム図
【図２】本発明の実施例１の健康管理支援システムの携帯情報端末である携帯電話の外観図
【図３】本発明の実施例２の健康管理支援システムのシステム図
【図４】本発明の実施例３の健康管理支援システムの別のシステム図
【図５】本発明の実施例４の健康管理支援システムの衛生洗浄装置の表示部を示す図
【図６】本発明の実施例４の健康管理支援システムの衛生洗浄装置の表示部の表示内容を示す図
【図７】本発明の実施例５の健康管理支援システムのシステム図
【図８】（ａ）本発明の実施例５の健康管理支援システムの携帯電話の表示内容を示す図
（ｂ）本発明の実施例５の健康管理支援システムの携帯電話の表示内容を示す図
【図９】本発明の実施例６の健康管理支援システムのシステム図
【図１０】本発明の実施例６の健康管理支援システムの携帯情報端末である携帯電話の表示部の表示図
【図１１】（ａ）本発明の実施例６の健康管理支援システムの携帯電話の表示内容を示す図
（ｂ）本発明の実施例６の健康管理支援システムの携帯電話の表示内容を示す図
【図１２】（ａ）本発明の実施例７の健康管理支援システムの生体情報測定装置から携帯情報端末に送信される測定情報の時系列的なデータ構成図
（ｂ）本発明の実施例７の健康管理支援システムの生体情報測定装置から携帯情報端末に送信される測定情報の時系列的なデータ構成図
【図１３】（ａ）本発明の実施例８の健康管理支援システムの携帯情報端末からサーバー装置に送信される測定情報の時系列的なデータ構成図
（ｂ）本発明の実施例８の健康管理支援システムの携帯情報端末からサーバー装置に送信される測定情報の時系列的なデータ構成図
【図１４】本発明の実施例９の健康管理支援システムのシステム図
【図１５】本発明の実施例９の健康管理支援システムのプリンターでの印刷図
【図１６】従来の健康管理支援システムのシステム図
【符号の説明】
１　サーバー装置
２ａ　インターネット（通信網）
３　携帯電話（携帯情報端末）
４　衛生洗浄装置
４ａ　体脂肪計（生体情報測定装置）
５ａ　測定データ
５ｂ　健康情報
６ａ　測定データ（保管測定情報）
６ｂ　健康情報（保管測定情報）
７　健康アドバイス情報
１０　表示部（報知手段）
１１　スピーカ（報知手段）
１２ａ、１２ｂ、１２ｃ、１２ｄ　伝送手段
１３　リモコン
１４　ＬＣＤ（表示部）
１５　操作部
１７　指示情報
１８　選択情報
１９　出力端子（出力手段）
【図１】
2004013508.tif 000003
【図２】
2004013508.tif 000004
【図３】
2004013508.tif 000005
【図４】
2004013508.tif 000006
【図５】
2004013508.tif 000007
【図６】
2004013508.tif 000008
【図７】
2004013508.tif 000009
【図８】
2004013508.tif 000010
【図９】
2004013508.tif 000011
【図１０】
2004013508.tif 000012
【図１１】
2004013508.tif 000013
【図１２】
2004013508.tif 000014
【図１３】
2004013508.tif 000015
【図１４】
2004013508.tif 000016
【図１５】
2004013508.tif 000017
【図１６】
2004013508.tif 000018